(57)【特許請求の範囲】
【請求項１】
電柱間に架設した吊線に巻回支持させた螺旋状ケーブルハンガーの内側に配置し、しかも、ケーブル用牽引紐の先端を接続する、棒杆状の先導具主体を備え、該先導具主体の適所に、前記吊線に吸引する磁石と、前記吊線に係合する係合溝を周面に備えた駆動輪および従動輪をそれぞれ装置し、前記係合溝の底縁を前記磁石より前記吊線に近接させると共に、前記駆動輪を前記先導具主体に搭載した電源を駆動源とするモータに連けいした、ケーブル用牽引紐の先導具。
【発明の詳細な説明】
【技術分野】
【０００１】
本発明は、電柱間に架設した吊線（概し、メッセンジャーワイヤー）に巻回して前記電柱間に配した螺旋状ケーブルハンガーに受支させるようにしてケーブルを電柱間に新たに架設する際に、ケーブルを前記吊線に沿って移動させるために用いるケーブル用牽引紐の先導具に関するものである。すなわち、一方の電柱から他の一方の電柱位置までわたしたケーブル用牽引紐を牽引して、該牽引紐の末端側に接続したケーブルを螺旋状ケーブルハンガーに受支案内させて移動させることにより、ケーブルは電柱間に架設されるのであるが、本発明は、ケーブル用牽引紐の先端を一方の電柱側から他の一方の電柱位置に移動させるために用いるケーブル用牽引紐の先導具に関するものである。
【背景技術】
【０００２】
メインシャフトの先導頭部側に基部を止着して放射状に配した弾性杆の後端部を、前記メインシャフトの後端部側において止着して、前記弾性杆を円弧状にして螺旋状ケーブルハンガーの内縁に配置し、前記メインシャフトの後端に接続した剛性ワイヤー（ケーブル牽引用の）で押圧して前記メインシャフトを電柱間に移動させるようにした構造のものがある（例えば、特許文献）。
【０００３】
【特許文献１】特開２００６−２５５９０号公報
【発明の開示】
【発明が解決しようとする課題】
【０００４】
前記従来構造のものは、剛性ワイヤーの剛性を利用して移動させる構成を採るため、その移動距離には自ら限界があり、また、高所での作業のため煩雑であり、危険性も伴う。
【０００５】
本発明は、このような従来例の欠点に着目し、ケーブル牽引用紐を電柱間に簡単かつ確実にかけわたしのできる先導具を提供することを目的として創案したものである。
【課題を解決するための手段】
【０００６】
電柱間に架設した吊線に巻回支持させた螺旋状ケーブルハンガーの内側に配置し、しかも、ケーブル用牽引紐の先端を接続する、棒杆状の先導具主体を備え、該先導具主体の適所に、前記吊線に吸引する磁石と、前記吊線に係合する係合溝を周面に備えた駆動輪および従動輪をそれぞれ装置し、前記係合溝の底縁を前記磁石より前記吊線に近接させると共に、前記駆動輪を前記先導具主体に搭載した電源を駆動源とするモータに連けいした構成とするのである。
【発明の効果】
【０００７】
本発明によれば、電柱間に架設した吊線を駆動ローラと従動ローラのそれぞれに周面に設けた係合溝の係合するようにして先導具主体を前記吊線に組合わせると、磁石の作用により先導具主体は吊線に吸引され、その吸引状態は、磁石より近接する係合溝の底縁が吊線に接することによって維持され、この状態にして駆動モータを作動させると、該モータに連けいした駆動輪は転動すなわち吊線に沿って移動することになり、該移動に伴って従動ローラも転動、移動し、ケーブル牽引紐の先端を一方の電柱から他方の電柱へと移動させることができ、ケーブル用の牽引紐を電柱間に張設した吊線に沿って移動させるに好適な先導具を提供できる。
【実施例】
【０００８】
図面は、本発明に係るケーブル用牽引紐の先導具の一実施例を示し、図１は使用状態を示す正面図、図２は一部欠截正面図、図３は図２のａ−ａ線拡大断面図、図４は図２のｂ−ｂ線拡大断面図である。
【０００９】
図中、１は先導具主体で、先導具主体１は合成樹脂で構成した流線形状の棒状体で成り、先導具Ａは、この主体１の先端側に駆動輪２を備えた駆動部３を、後端側に従動（補助）輪４を備えた従動部５を装置し、駆動部３と従動部５との間の中間部に前記駆動輪２の駆動モータ６と該モータ６の電源である電池７並びにモータ６と駆動輪２との間に介在させた歯車装置８を収納、搭載して構成する。
【００１０】
駆動部３は、前記主体１に支軸９によって主体１の上縁より一部が突出するように回動自在に支持させた前記駆動輪２の前後両側に磁石１０を装置し、前記駆動輪２と、前記電池７を電源として前記主体１に支持させた駆動モータ６との間には前記歯車装置８を介在させて構成し、スイッチ装置１１によって駆動モータ６を作動させて歯車装置８を介して駆動輪２を正逆自在に転動できるようにしてある。
【００１１】
駆動輪２は、その周面に係合溝１２を備え、電柱間に架設した吊線ｍが該係合溝１２に係合して接する（磁石１０の吊線ｍに対する作用により）底縁１２ａを、主体１から磁石１０より突出させて吊線ｍに近接させてある。
【００１２】
なお、底縁１２ａは係合溝１２の形態、該係合溝１２と吊線ｍの径との関係と相対的なもので、磁石１０，１０´の作用により吊線ｍに接する部分をいい、形態的なものを意味しない（所謂底でなくとも良い）。
【００１３】
歯車装置８は、前記駆動輪２と同軸にして該駆動輪２と一体的に回動する従動歯車８ａに第一、第二の仲介歯車８ｂ，８ｂ´を順次かみ合わせ、第二仲介歯車８ｂ´と同軸のクラウン歯車８ｃをモータ軸６ａに設けた駆動歯車８ｄにかみ合わせて構成し、駆動輪２は駆動モータ６の回転速度を減速した速度で回転（転動）する。
【００１４】
前記従動部５は、主体１に支軸１３によって車輪枠１４を回動自在に枢着し、該車輪枠１４の前記支軸１３を中心とする前後に、前記従動輪４を転動自在に枢着し、この従動輪４，４間に磁石１０´を設け、前記駆動輪２と同様にこの磁石１０´より、従動輪４の、吊線ｍが係合する係合溝１２´の底縁１２´ａを主体１より突出させて吊線ｍに近接させてある。
【００１５】
なお、磁石１０，１０´は、その吸着力（磁力）により先導具Ａを吊線ｍに係合溝１２,１２´において接触させ、接触状態を保持し（従って、磁石１０，１０´の重さを含む先導具Ａの重さよりその吸着力は強い）、他方、モータ６の駆動によって転動する駆動輪２の吊線ｍに沿う移動に伴って移動するようになっており（従って、磁石１０，１０´の吸着力より駆動モータ６乃至駆動輪２の回転力の方が強い）、磁石の強さと先導具Ａの重さ或いは駆動モータ６乃至駆動輪２の回転力の強弱のバランスは、実験（試験）によって適宜決定される。
【００１６】
車輪枠１４は、相対して配した枠板１４ａ，１４ａを接続片１４ｂによって間隙を置いて接続して構成し、長手方向（主体１の前後方向）の中央部を前記支軸１３によって主体１に揺動自在に枢着し、前後両側に前記従動輪４を配すると共にこれら従動輪４，４間に介在する前記接続片１４ｂに前記磁石１０´を固着し、吊線ｍの状況によって支軸１３を中心にして揺動して、従動輪４，４中の少なくも一方が該吊線ｍに接触して駆動輪１０の移動に伴って転動し、先導具Ａの吊線ｍに沿う移動を円滑に行えるようにしてある。
【００１７】
そして、先導具Ａを、吊線ｍに支持させた螺旋状ケーブルハンガーｈの内側に配するようにして駆動輪２と従動輪４の各係合溝１２，１２´を前記吊線ｍに係合させるようにすると、駆動輪２等は近傍に配置した磁石１０，１０´の作用により係合溝１２、１２´において吊線ｍに接触し、先導具Ａは吊線ｍにいわば吊るされた状態となる。
【００１８】
この状態で、スイッチによって回路を閉塞させて駆動モータ６を作動させると、その作動によって歯車装置８を介して駆動輪２は回動し、駆動輪２の転動に伴って従動輪４も吊線ｍに接して転動し、先導具Ａは磁石１０，１０´の作用によって吊線ｍに吸引されつつ、該吊線ｍに沿って移動し、一方の電柱から他の一方の電柱側へと両電柱間に張架した前記吊線ｍに沿って前進し、前進方向の後端の接続材１ｂに接続したケーブル用牽引紐Ｒの先端を前記一方の電柱から他の一方の電柱側へと移動させることができるのである。
【００１９】
なお、スイッチは地上から遠隔操作によってその操作を行うようにすると、作業性を向上させることができる。
【００２０】
また、図示１８は、電池７を電源とする発光ダイオードで、この発光ダイオード１８の光によって夕暮れ時など、地上から先導具Ａの位置を視認することができる。
【００２１】
従動輪４の数、配置は適宜選択すれば良いが、実施例のように主体１に対して揺動自在に組付けた車輪枠１４に一対の従動輪４，４を配した構成にすると、走行中に吊線ｍが成す（吊線ｍが垂れて）曲路部に至ったときに、当該車輪枠１４の一方の従動輪が吊線ｍより離脱して他方の従動輪４の吊線ｍに対する吸着状態を保つことができるから好適である。
【図面の簡単な説明】
【００２２】
【図１】使用状態を示す正面図。
【図２】一部欠截正面図。
【図３】図２のａ−ａ線拡大断面図。
【図４】図２のｂ−ｂ線拡大断面図。
【符号の説明】
【００２３】
１            先導具主体
２            駆動輪
４            従動輪
６            駆動モータ
１０，１０´  磁石
１２，１２´  係合溝
ｈ            螺旋状ケーブルハンガー
ｍ            吊線
Ｒ            ケーブル用牽引紐
【図１】
0005081597.tif 000002
【図２】
0005081597.tif 000003
【図３】
0005081597.tif 000004
【図４】
0005081597.tif 000005